(57)【要約】  脱着可能および取り替え可能部分からなる眼鏡アセンブリ。アセンブリは、レンズまたはレンズアセンブリを受領するための開口部を定義する、脱着可能な上側および下側フレーム部品を備える。２つの取り替え可能な蔓アームが、上側および下側フレーム部品に枢動可能に連結し、眼鏡アセンブリを一体に維持することを補助する。眼鏡アセンブリは有利に、装着者、製造業者、デザイナー、卸業者および／または小売業者が、部品の単純な取り替えによって、彼らの要求を満足させるために、眼鏡の形状、スタイル、サイズまたは色を変更することを可能とする。他の実施形態は、熱消散物質からなる眼鏡構成部材、とりわけポリマーまたはアルミニウムのような熱消散物質からなるインサートを備える蔓アームを対象とする。
2013527496.tif 000002
【特許請求の範囲】
【請求項１】
取外可能部品で形成される眼鏡アセンブリであって、前記取外可能部品が、
少なくとも１つのレンズ部分と、
上側フレーム部品と、
下側フレーム部品であって、前記上側フレーム部品および下側フレーム部品が共に、前記少なくとも１つのレンズ部分を受けるための少なくとも１つの開口部を画成する、下側フレーム部品と、
前記上側フレーム部品と下側フレーム部品とに取り付けられる２つの蔓アームと、
を備え、
前記取外可能部品はそれぞれ、対応する部品と取り替え可能である、眼鏡アセンブリ。
【請求項２】
前記上側フレーム部品と下側フレーム部品とによって画成された前記少なくとも１つの開口部が、ほぼ全周で、開口部内に受けられた少なくとも１つのレンズを囲む、請求項１に記載の眼鏡アセンブリ。
【請求項３】
前記上側フレーム部品と下側フレーム部品とを互いに取り付けた時のみ、少なくとも１つの開口部を画成する、請求項２に記載の眼鏡アセンブリ。
【請求項４】
脱着可能な前記上側および下側フレーム部品が、前記眼鏡アセンブリが異なる形状および／またはサイズの少なくとも１つのレンズ部分を選択的に備えるように取り替え可能である、請求項１から３のいずれか一項に記載の眼鏡アセンブリ。
【請求項５】
前記少なくとも１つのレンズ部分が、２つのレンズを備える請求項１から４のいずれか一項に記載の眼鏡アセンブリ。
【請求項６】
前記少なくとも１つのレンズ部分が、レンズアセンブリを備える、請求項１から４のいずれか一項に記載の眼鏡アセンブリ。
【請求項７】
前記レンズアセンブリが、サブフレーム内にある１以上のレンズを備える、請求項６に記載の眼鏡アセンブリ。
【請求項８】
前記蔓アームが、前記上側フレーム部品および前記下側フレーム部品と脱着可能にかつ枢動可能に係合する、請求項１から７のいずれか一項に記載の眼鏡アセンブリ。
【請求項９】
前記眼鏡アセンブリが、第１および第２ヒンジ部材を備え、前記第１ヒンジ部材が旋回軸シャフトを備え、前記第２ヒンジ部材が旋回手段を備える、請求項８に記載の眼鏡アセンブリ。
【請求項１０】
前記上側および下側フレーム部品が共に、第１ヒンジ部材を備え、前記蔓アームが、それぞれ第２ヒンジ部材を備える、請求項９に記載の眼鏡アセンブリ。
【請求項１１】
前記上側および下側フレーム部品が共に、第２ヒンジ部材を備え、前記蔓アームが、それぞれ第１ヒンジ部材を備える、請求項９に記載の眼鏡アセンブリ。
【請求項１２】
前記旋回手段が、前記第１ヒンジ部材の旋回軸シャフト回りに前記第２ヒンジ部材が回転することを可能とするように構成された少なくとも１つのフック状部材を備える、請求項９から１１のいずれか一項に記載の眼鏡アセンブリ。
【請求項１３】
前記旋回軸シャフトが、上方突起部分および下方突起部分を備える、請求項９から１２のいずれか一項に記載の眼鏡アセンブリ。
【請求項１４】
前記旋回軸シャフトの上方突起部分および下方突起部分が、単一構造物である、請求項１３に記載の眼鏡アセンブリ。
【請求項１５】
前記上側フレーム部品が、旋回軸シャフトを備え、前記下側フレーム部品が、前記旋回軸シャフトの下方突起部分を受けるように構成された旋回軸シャフト受領部分を備え、このため、前記旋回軸シャフトが、前記旋回軸シャフト受領部分から下方に伸長する、請求項１３または１４に記載の眼鏡アセンブリ。
【請求項１６】
前記第２ヒンジ部材が、それぞれ旋回軸シャフトの上方突起部分と下方突起部分と協働するように構成された上側および下側フック状部材を備える、請求項１３から１５のいずれか一項に記載の眼鏡アセンブリ。
【請求項１７】
前記眼鏡アセンブリが、前記上側フレーム部品および／または下側フレーム部品に関して少なくとも１つのポジションに前記蔓アームを付勢する付勢手段を備える、請求項１から１６のいずれか一項に記載の眼鏡アセンブリ。
【請求項１８】
前記上側および下側フレーム部品が、協働するオス型およびメス型部分によって脱着可能に接続される、請求項１から１７のいずれか一項に記載の眼鏡アセンブリ。
【請求項１９】
前記上側フレーム部品と下側フレーム部品とが、その中心部分で取り外し可能に取り付けられる、請求項１から１８のいずれか一項に記載の眼鏡アセンブリ。
【請求項２０】
前記眼鏡アセンブリが、装着者の鼻の上に載置するように構成された１以上の鼻載置部分を備える、請求項１から１９のいずれか一項に記載の眼鏡アセンブリ。
【請求項２１】
請求項１から２０のいずれか一項に記載の眼鏡アセンブリで使用するように構成された、上側フレーム部品。
【請求項２２】
請求項１から２０のいずれか一項に記載の眼鏡アセンブリで使用するように構成された、下側フレーム部品。
【請求項２３】
請求項１から２０のいずれか一項に記載の眼鏡アセンブリで使用するように構成された、１以上の蔓アーム。
【請求項２４】
請求項１から２０のいずれか一項に記載の眼鏡アセンブリで使用するように構成された、１以上の鼻載置部分。
【請求項２５】
熱消散物質で形成される、眼鏡アセンブリの構成部品。
【請求項２６】
前記構成部品が、蔓アームを備える、請求項２５に記載の眼鏡アセンブリの構成部品。
【請求項２７】
前記蔓アームが、熱消散物質からなるインサートを備え、
前記インサートが、装着者の頭近くにかつそれに面して位置するように構成された側面上に位置する、請求項２６に記載の眼鏡アセンブリの構成部品。
【請求項２８】
前記熱消散物質が、熱消散ポリマーまたは熱消散アルミニウムである、請求項２５から２７のいずれか一項に記載の眼鏡アセンブリの構成部品。
【請求項２９】
前記蔓アームが、請求項１から２０のいずれか一項に記載の眼鏡アセンブリで使用するように構成された、請求項２５から２７のいずれか一項に記載の眼鏡アセンブリの構成部品。
【請求項３０】
請求項１から２０のいずれか一項に記載の眼鏡アセンブリを構成するための、部品のキット。
【請求項３１】
眼鏡アセンブリを製造する方法であって、
スライディングコアを使用することなしに、
上側フレーム部品、および、
下側フレーム部品、
を備える脱着可能部品を射出成形するステップと、
２つの蔓アームを準備するステップと、
少なくとも１つのレンズ部分を準備するステップであって、前記上側フレーム部品と前記下側フレーム部品が共に、少なくとも１つのレンズ部分を受けための少なくとも１つの開口部を画成する、ステップと、
前記脱着可能部品と少なくとも１つのレンズ部分とを一体的に組み立てて眼鏡アセンブリを形成するステップと、
を備え、
前記脱着可能部品がそれぞれ、対応する部品と取り替え可能である、方法。
【発明の詳細な説明】
【技術分野】
【０００１】
本発明は、モジュール式眼鏡の分野に関する。より詳しくは、本発明は、取り替え可能な素子を備える眼鏡に関する。
【背景技術】
【０００２】
世界の人々の多くが、いくつかの形態にある眼鏡を装着する。語句「眼鏡」は、一般的に、レンズが眼の前に装着されるデバイスを意味しており、視力矯正のための眼鏡、太陽光保護のためのサングラスおよび眼保護のための安全グラスを含むがこれらに限定はされない。
【０００３】
眼鏡は一般的に、光学的に透明なレンズを支持し、それらを装着者の眼の前方に適切に配置させるためのフレームを備える。眼鏡のフレームは一般的に、少なくともいくつかの以下の構成部材、すなわち、レンズを取り付けるリムと、装着者の耳の上に位置するアームまたは蔓と、２つのレンズ（またはそれらのリム）を一体に接続するブリッジと、を備える。フレームの一部、いつもではないが典型的にはブリッジが、装着者の鼻の上に載置するように構成されている。
【０００４】
眼鏡は、純粋な機能的アイテムから、ファッションアクセサリーへと、時が経つにつれて発展してきた。眼鏡のスタイルは、それに応じて、その形状、サイズおよび色に関して発展してきた。最近では、人々はしばしば、異なる状況での使用に合わせるため、異なる衣装に合わせるため、または、単に、趣向を変えるために、２対以上の眼鏡を所持することを望む。しかしながら、眼鏡が高額であることから、多くの人々にとって実用的な選択肢にならない。
【０００５】
眼鏡のスタイルを比較的安価に変更可能な１つの方法は、取り替え可能な部品を利用することである。たとえば、特許文献１には、迅速かつ簡単に取り外し、異なる色の同様の部分で置換される蔓アームおよびブリッジを有する眼鏡が記載されている。
【０００６】
特許文献２には、たとえば長距離および短距離視力のため、または太陽光からの保護のため、状況の必要性にしたがって、レンズのタイプを変えるための、取り替え可能レンズを有する眼鏡が記載されている。レンズはまた、異なる色またはスタイルの眼鏡フレーム部品と共に使用してもよい。
【０００７】
これらの従来技術のシステムは、眼鏡のスタイルおよび色を変化させる能力を提供するが、しかし可能なカスタマイズの程度は制限される。たとえば、ブリッジおよび蔓アームを変化させる能力は、それらの部分のスタイルの変化によって許容される範囲で眼鏡のスタイルを変化させることのみが可能である。
【０００８】
さらに、取り替え可能な部品を有する従来技術の眼鏡システムは、とりわけ取り替え可能な部品の連結にて、長期間の使用のためにデザインされた製品に対して望まれるものよりも、弱く、より脆いことがわかってきた。
【０００９】
さまざまな眼鏡スタイルが利用可能である場合、製造業者、卸業者および小売業は、要望について行くことが可能なように、各スタイルで十分なストックを維持する必要がある。いくつかのスタイルに人気がない場合、これらのスタイル中のすべてのストックが売れない可能性があり、したがって、廃棄され、無駄が多い。ファッションは、非常に速く移りゆくので、人気のあるスタイルですら、陳腐化の傾向にある。
【００１０】
取り替え可能な部品を有する眼鏡を含む、眼鏡を製造する既存の方法は、複雑なツールを必要とし、製品のコストに影響を与える。眼鏡の構成部材を射出成形する場合、成形工程が、スライディングコアまたはスライディングウェッジの利用を必要とする時に、より複雑になり、より高価となる。たとえば、ほとんどの眼鏡フレームは、レンズをフレーム内でしっかりと嵌合することが可能なように、眼ソケットの内部エッジ周辺に溝を必要とする。これらの溝は、複雑なスライディングコアを成形工程において使用することが必要となる。そのようなスライディングコアを持つツールは、より高価であり、スライディングコアなしのツールに比べてより多くの可動部分を有し、これはより摩耗および裂けを受けやすくなることを意味している。
【先行技術文献】
【特許文献】
【００１１】
【特許文献１】米国特許第７６９０７８６号明細書
【特許文献２】国際公開第９５／１３５５８号パンフレット
【発明の概要】
【発明が解決しようとする課題】
【００１２】
本発明の目的は、上述した欠点の少なくともいくつかを克服する、眼鏡アセンブリを提供することである。
【００１３】
あるいは、上述した欠点の少なくともいくつかを克服する、眼鏡部品を提供することが、目的である。
【００１４】
あるいは、有用な選択を公衆に少なくとも提供することが、本発明の目的である。
【課題を解決するための手段】
【００１５】
本発明の第１実施形態にしたがって、脱着可能部品からなる眼鏡アセンブリが提供され、脱着可能部品は、
少なくとも１つのレンズ部分と、
上側フレーム部品と、
下側フレーム部品であって、前記上側フレーム部品と下側フレーム部品とが、共に前記少なくとも１つのレンズ部分を受けるための少なくとも１つの開口部を画成する、下側フレーム部品と、
前記上側フレーム部品と下側フレーム部品とに取り付けられた２つの蔓アームと、
を備え、
前記脱着可能部品が、それぞれ、対応する部品と取り替え可能である。
【００１６】
理解することは、本明細書で記述した本発明の文脈中、「脱着可能」部品が、眼鏡アセンブリから、または眼鏡アセンブリの他の部品から簡単に脱着可能な部品であることである。部品は、ツールを用いてまたは用いずに、その後に再接続可能なように、損傷なしの方法で取り外される。
【００１７】
さらに理解することは、脱着可能部品の対応する部品との取り替え可能性が、概して同様の機能を達成するが形状、サイズ、色または任意の他の特徴に関して異なることがある部品と脱着可能部品がメガネアセンブリ内で置換可能であることを意味することである。
【００１８】
好ましくは、蔓アームは、上側フレーム部品と下側フレーム部品と脱着可能に、枢動可能に係合する。
【００１９】
好ましい実施形態において、眼鏡アセンブリは、第１および第２ヒンジ部材を備え、第１ヒンジ部材は、旋回軸シャフトを備え、第２ヒンジ部材は旋回手段を備える。一実施形態において、上部および下側フレーム部品は共に、第１ヒンジ部材を備え、蔓アームはそれぞれ、第２ヒンジ部材を備える。他の実施形態において、上部および下側フレーム部品は共に、第２ヒンジ部材を備え、蔓アームはそれぞれ第１ヒンジ部材を備える。
【００２０】
より好ましくは、旋回手段は、第１ヒンジ部材の旋回軸シャフト回りの第２ヒンジ部材の回転を可能とするように構成された少なくとも１つのフック状部材を備える。
【００２１】
好ましくは、旋回軸シャフトは、上方突起部分および下方突起部分を備える。
【００２２】
好ましくは、旋回軸シャフトの上方突起部分および下方突起部分は、単一構造物である。
【００２３】
好ましくは、上側フレーム部品は、旋回軸シャフトを備える。
【００２４】
好ましくは、下側フレーム部品は、旋回軸シャフトの下方突起部分を受けるように構成された旋回軸シャフト受領部分を備え、そのため、旋回軸シャフトは、旋回軸シャフト受領部分から下方に伸長する。
【００２５】
好ましくは、上側および下側フレーム部品は、協働するオス型およびメス型部分によって脱着可能に接続する。より好ましくは、協働するオス型およびメス型部分は、旋回軸シャフトと旋回軸シャフト受領部分とを構成してもよい。
【００２６】
好ましくは、第２ヒンジ部材は、それぞれ旋回軸シャフトの上方突起部分と下方突起部分と協働するように構成された上側および下側のフック状部材を備える。
【００２７】
他の実施形態において、上側フレーム部品および／または下側フレーム部品は、開口部分を備え、各開口部分は、開口部を備える。各蔓アームは、上側フレーム部品と下側フレーム部品にある開口部と脱着可能に、枢動可能に係合する旋回軸シャフトを備える。
【００２８】
好ましくは、眼鏡アセンブリは、付勢部分を備え、蔓アームを上側フレーム部品および／または下側フレーム部品に対して少なくとも１つのポジションに付勢させる。一実施形態において、蔓アームは、上側および／または下側フレーム部品に対して、第１ポジションに付勢される。第１ポジションは、「開放」ポジションとして記述されてよく、眼鏡アセンブリが、装着者の顔の上に配置するのに適した構成である。さらに、蔓アームが、上部および／または下側フレーム部品に関して、第２ポジションに付勢されてよい。第２ポジションは、「閉鎖」ポジションとして記述されてよく、眼鏡アセンブリは、折り畳まれた構成であり、装着者の顔の上での配置に適していない。
【００２９】
一実施形態において、旋回軸シャフトが、ほぼ四角形の断面部分を備え、それぞれが、ほぼ四角形の開口部によって枢動可能に受けられる。より好ましくは、ほぼ四角形の開口部は、丸まった角部を有する。旋回軸シャフトおよび開口部の他の断面形状は、同様に本発明の範囲内に含まれる。
【００３０】
一実施形態において、開口部分は、開口部と開口部分の外側との間にあるスプリットとを備えてもよい。好ましくは、スプリットは、開口部内で旋回軸シャフトが回転すると、開口部分が曲がることを可能とするように構成されている。いくつかの実施形態において、たとえば旋回軸シャフトが回転するにしたがって曲がる物質で開口部分が形成される場合、スプリットは設けられていない。
【００３１】
一実施形態において、各蔓アームは、円形部分と四角形状部分とを有する旋回軸シャフトを有する。旋回軸シャフトは、下側フレーム部品の開口部分内にある円形開口部と、上側フレーム部品の開口部分内にある丸角部を有する四角形状開口部と、によって受けられる。当業者によって理解されるように、本実施形態は非限定的であり、本発明の他の実施形態には、眼鏡アセンブリの構成部材中の旋回軸シャフトと開口部の異なる構成が含まれる。
【００３２】
好ましくは、上側フレーム部品と下側フレーム部品は、その中心部分にて脱着可能に接続する。上側および下側フレーム部品の中心部分は、眼鏡アセンブリのブリッジ部分を画成する。
【００３３】
好ましくは、上側フレーム部品と下側フレーム部品は、協働するオス型およびメス型部分によって、中心部分にて取り外し可能に取り付けられる。
【００３４】
一実施形態において、協働するオス型およびメス型部分は、スプリットシャフト接続部を備える。スプリットシャフトおよびスプリットシャフトを受ける開口部は、それぞれ上側フレーム部品と下側フレーム部品とによって構成されてよく、逆もありうる。他の実施形態は、シャフトすなわちオス型取付手段内にスプリットを備えない。たとえば、実施形態は、シャフトを開口部内で脱着可能に受けることを可能とするために曲がる物質を用いる。
【００３５】
一実施形態において、眼鏡アセンブリは、装着者の鼻の上に載置するように構成された１以上の鼻載置部分を備える。
【００３６】
好ましくは、下側フレーム部品は、１以上の鼻載置部分を備える。たとえば、ブリッジ部分は、１以上の鼻載置部分を備えてもよい。１以上の鼻載置部分は、下側フレーム部品から脱着可能であってよく、またはそれと共に単一構造物であってよい。
【００３７】
あるいは、眼鏡アセンブリは、上側フレーム部品に取り外し可能に取り付けられる鼻載置部分を備える。
【００３８】
一実施形態において、少なくとも１つのレンズ部分が、２つのレンズを備える。
【００３９】
他の実施形態において、少なくとも１つのレンズ部分は、レンズアセンブリを備える。レンズアセンブリは、モノレンズを備えてもよく、またはレンズアセンブリは、サブフレーム内で１以上のレンズを備えてもよい。
【００４０】
好ましくは、上側フレーム部品と下側フレーム部品とによって画成された少なくとも１つの開口部は、開口部内で受けられる少なくとも１つのレンズをほぼ全周で囲む。
【００４１】
より好ましくは、上側フレーム部品と下側フレーム部品とを共に取り付ける時にのみ、少なくとも１つの開口部を画成する。
【００４２】
好ましくは、脱着可能な上側および下側フレーム部品は、眼鏡アセンブリが、異なる形状および／またはサイズの少なくとも１つのレンズ部分を選択的に備えるように、取り替え可能であってよい。
【００４３】
本発明の第２様態において、本発明の第１様態における眼鏡アセンブリで使用するように構成された上側フレーム部品を提供する。
【００４４】
本発明の第３様態において、本発明の第１様態における眼鏡アセンブリで使用するように構成された下側フレーム部品を提供する。
【００４５】
本発明の第４様態において、本発明の第１様態における眼鏡アセンブリで使用するように構成された１以上の蔓アームを提供する。
【００４６】
本発明の第５様態において、本発明の第１様態における眼鏡アセンブリで使用するように構成された１以上の鼻載置部分を提供する。
【００４７】
本発明の第６様態において、熱消散物質で形成された眼鏡アセンブリの構成部分が提供される。
【００４８】
好ましくは、１以上のアームが、少なくとも部分的に熱消散物質で形成される。
【００４９】
一実施形態において、蔓アームは、ほぼ全体的に、熱消散物質で形成される。あるいは、蔓アームの一部が、熱消散物質で形成される。たとえば、各蔓アームは、熱消散物質で形成されるインサートを有してもよく、インサートは、好ましくは、装着者の頭の近く、およびそれに面して位置するように構成された側面上に位置する。
【００５０】
好ましくは、熱消散物質は、装着者の頭または顔から熱を追い出すのに適した熱伝導性を有する任意の物質である。そのような物質の非限定的な例には、熱消散ポリマーおよび熱消散アルミニウムが含まれる。
【００５１】
好ましくは、少なくとも部分的に熱消散物質からなる１以上の蔓アームは、本発明の第１様態における眼鏡アセンブリ中での使用するように構成される。
【００５２】
本発明の第７様態において、本発明の第１様態における眼鏡アセンブリを構成するための部品のキットが提供される。
【００５３】
本発明の第８様態において、眼鏡アセンブリを製造する方法が提供され、この方法は、
スライディングコアを使用することなく脱着可能部品を射出成形するステップであって、前記脱着可能部品が、
上側フレーム部品、および
下側フレーム部品
を備える、ステップと、
２つの蔓アームを準備するステップであって、
少なくとも１つのレンズ部分を準備するステップであって、前記上側フレーム部品と下側フレーム部品とが共に、少なくとも１つのレンズ部分を受けるための少なくとも１つの開口部を画成する、ステップと、
眼鏡アセンブリを形成するために、脱着可能部品と少なくとも１つのレンズ部分とを共に組み立てるステップと、
を備えるステップと、を備え、
脱着可能部品が、それぞれ対応する部品で取り替え可能である。
【００５４】
本発明のさらなる様態は、全てのその新規様態として考慮されるべきであり、本発明の実際の適用の少なくとも１つの例を提供する以下の記載を読むことにおいて、当業者に理解されるようになるであろう。
【００５５】
本発明の１以上の実施形態が、以下の図面を参照して、例示によってのみ、そして限定する意図はなく、後述されている。
【図面の簡単な説明】
【００５６】
【図１】本発明の実施形態における眼鏡アセンブリを示す図である。
【図２】本発明の他の実施形態における眼鏡アセンブリを示す図である。
【図３】本発明の実施形態における眼鏡アセンブリを示す部分断面図である。
【図４】本発明の実施形態における眼鏡アセンブリの一部を示す図である。
【図５】図４で示す眼鏡アセンブリを示す部分断面図である。
【図６】本発明の実施形態における眼鏡アセンブリの一部を示す図である。
【図７】本発明の他の実施形態における眼鏡アセンブリの一部を示す図である。
【図８】本発明の実施形態における眼鏡アセンブリを示す図である。
【図９】部品を交換した図８に示す眼鏡アセンブリを示す図である。
【図１０】部品を交換した図８に示す眼鏡アセンブリを示すさらなる図である。
【図１１】本発明の他の実施形態における眼鏡アセンブリの斜視図である。
【図１２】本発明の実施形態における、眼鏡ヒンジアセンブリの斜視図である。
【図１３】図１２の実施形態における第１ヒンジ部材の一端部を示す平面図である。
【図１４】図１２の実施形態における第２ヒンジ部材の一端部を示す断面平面図である。
【図１５】本発明の他の実施形態における第１ヒンジ部材の一端部を示す平面図である。
【図１６】図１１に示す眼鏡アセンブリの分解斜視図である。
【図１７】本発明の他の実施形態における眼鏡アセンブリを示す正面図である。
【図１８】図１７に示す眼鏡アセンブリを示す分解斜視図である。
【図１９】図１７に示す眼鏡アセンブリを示す断面図である。
【発明を実施するための形態】
【００５７】
本発明は、眼鏡アセンブリを形成するために一体に接続するように構成された複数の取り替え可能な部品を備えるモジュール式眼鏡システムを概して対象とする。部品の取り替え可能性は、装着者、製造業者、デザイナー、卸業者および／または小売店が眼鏡の形状、スタイル、大きさまたは色を変えて彼らの要求を満足させることを可能とする。
【００５８】
図１および図２は、本発明の異なる実施形態にしたがった眼鏡を図示している。脱着可能かつ取り替え可能な部品の異なるアレンジメントおよび組み合わせが、眼鏡アセンブリを構成する。好ましい実施形態を後述するが、脱着可能かつ取り替え可能な部品の他のアレンジメントおよび組み合わせもまた、本発明の範囲内であることが理解されるべきである。
【００５９】
図１は、眼鏡アセンブリ１０中の部品のアレンジメントを図示している。アセンブリ１０は、上側フレーム部品１１、下側フレーム部品１２、レンズ１３および蔓アーム１４を備える。蔓アームのうちの１つのみを図１に示す。アセンブリ１０を構成する部品は、すべて簡単に脱着可能であり、対応する部品と取り替え可能であり、この対応する部品は、同様の機能を広く達成し、または同一の目的を果たすが、形状、スタイル、大きさ、色または任意の他の特徴に関しては異なることがある。
【００６０】
本発明は、眼鏡アセンブリの構造部品を取り外し可能に取り付ける様式に限定されない。好ましい実施形態を後述するが、他の方法もまた、意図しており、本発明の範囲内であることが、当業者によって理解されるであろう。構造部品は、ツールを用いてまたは用いずに取り外しおよび取り付けられてもよい。ツールの用いずにそのようなことができることにより、利用が簡単になるが、しかしいくつかの場合で、接続部が弱くなることがある。ツールを用いることにより、より強い取り付けが可能になるが、ユーザーが、身近にツールを持ち運ぶ必要があり、製品のコストが増える可能性があり、また簡単に失くしてしまう可能性がある。
【００６１】
上側フレーム部品１１は、眼鏡アセンブリ１０の上側部分を形成し、図１に示す好ましい実施形態において、眼鏡アセンブリ１０の前方セクションの幅にわたり、そのいずれかの側面で蔓アーム１４に接続する。下側フレーム部品１２は、アセンブリ１０の下側部分を形成し、また好ましい実施形態において、眼鏡アセンブリ１０の前方セクションの幅にわたり、いずれかの側面で蔓アーム１４に接続する。他の実施形態は、その上側および下側フレーム部品の異なる構成を備える。
【００６２】
上側および下側フレーム部品１１および１２は、蔓アーム１４に隣接するいずれかの端部において、かつ、図１に示す実施形態においてブリッジ部分を一体に形成する中心部分において、それぞれ取り外し可能に取り付けられる。
【００６３】
一体に接続した時に、上側および下側フレーム部品１１および１２は、２つの開口部を画成し、各開口部は、図１に示すようなレンズ１３を受けるように構成されている。上側および下側フレーム部品１１および１２は、それらの湾曲セクションの内側に溝部を備えてもよく、その溝部は、レンズ１３がフレームアセンブリで所定位置にしっかりと保持されるように、レンズ１３の縁部を受ける。
【００６４】
図１に示す実施形態において、上側および下側フレーム部品１１および１２は、全体的にレンズ１３を取り囲む。しかしながら、他の実施形態において、レンズ１３は、たとえば眼鏡により「縁のない」スタイルを与えるように、全周で取り囲まれなくてよい。すなわち、レンズ１３の縁部は、視認可能であり、上側および下側フレーム部品１１および１２によって受けられなくてもよい。
【００６５】
図１に示す実施形態において、上側および下側フレーム部品１１および１２を取り付ける時にのみ、２つの開口部を画成する、すなわち、別々に上側および下側フレーム部品１１および１２のみが開口部の一部分を画成する。他の実施形態において、上側フレーム部品または下側フレーム部品が、それ自身でレンズを受けるように構成された１以上の開口部を画成してもよい。たとえば、下側フレーム部品は、リム間にブリッジ部分がある、レンズを囲む２つのリムを備えてもよい。この下側フレーム部品は、上側フレーム部品に取り外し可能に取り付けられてもよい。
【００６６】
上述したものを含む、構造部品の多くのアレンジメントが本発明の範囲内に含まれることが当業者によって理解されるであろう。これらの実施形態で説明した部品の異なる組み合わせを、スタイル、形状およびサイズにおける多くのバラエティーを提供するために使用してもよい。
【００６７】
図１に示す実施形態において、上側フレーム部品１１と下側フレーム部品１２とは、蔓アーム１４に取り外し可能に取り付けられる。他の実施形態において、上側フレーム部品のみが蔓アームに取り付けられ、また他の実施形態において、下側フレーム部品のみが蔓アームに取り付けられる。眼鏡アセンブリ１０中でのように、上側フレーム部品および下側フレーム部品両方を蔓アームに取り付けることが、アセンブリの強度を増加させることがわかってきた。好ましいが限定的ではない、蔓アームを上側および／または下側フレーム部品に取り付ける方法を以下で詳述する。
【００６８】
図１に示す実施形態において、下側フレーム部品１２は、装着者の鼻の上に載置するように構成された鼻載置部分１５を備える。鼻載置部分１５は、下側フレーム部品１２との単一構造物である。他の実施形態において、鼻載置部分１５は、下側フレーム部品１２に脱着可能に取り付けられてもよく、装着者が自身の要求にしたがって、これらの構成部材を調整することを可能とするために、他の鼻載置部分と取り替え可能であってよい。たとえば、異なる形状または大きさの鼻は、異なる大きさまたは配置の鼻載置部分を必要としてもよい。また他の実施形態において、上側フレーム部品が、鼻載置部分を備えてもよい。
【００６９】
図２は、本発明の他の実施形態における、眼鏡アセンブリ２０中の部品のアレンジメントを図示している。眼鏡アセンブリ２０は、右および左レンズフレーム２１と、ブリッジ部分２２と、右および左レンズ２３と、蔓アーム２４と、を備える。同様に、１つの蔓アーム２４のみが図２で示されている。眼鏡アセンブリ２０の各構成部品は、他の構成部品に取り外し可能に取り付けられ、各部品は、装着者が、形状、サイズ、スタイルおよび色に関して、自身の要求にしたがって眼鏡を調整することを可能とするために、対応する部品で取り替え可能である。
【００７０】
図３は、本発明の実施形態における眼鏡アセンブリ３０中、上側フレーム部品を下側フレーム部品に取り外し可能に取り付ける１つの様式を示している部分断面図である。ブリッジ部分と、レンズ、上側および下側フレーム部品３１および３２の一部と、のみを図３に示す。
【００７１】
図３において、上側フレーム部品３１と下側フレーム部品３２とは、オス型−メス型接続手段、この実施形態では、スプリットシャフト接続を用いて接続される。上側フレーム部品３１は、スプリットシャフト３３を備え、下側フレーム部品３２は、スプリットシャフト３３を受けるように構成された開口部３４を備える。スプリットシャフト３３は、開口部３４を通過するために曲がることを可能とする垂直スリットによって分離される２つの部分を備えてもよい。他の実施形態において、柔軟性のある物質を使用し、それによってスリットが必要でなくてよい。また、スリットシャフトは、フレーム部品間の取り付けを確実にするために、一端部に近接する小さなフランジを有してもよい。他の実施形態において、下側フレーム部品は、スリットシャフトを備え、上側フレーム部品は、スリットシャフトを受けるための開口部を備える。このスリットシャフト接続により、上側および下側フレーム部品間でしっかりとしているが脱着可能な様式である接続が提供される。
【００７２】
本明細書で説明したすべての取り外し可能な取り付けのように、オス型およびメス型部品を有する他の接続を含む他の取り付け方法が想定され、本発明の範囲内に含まれることが理解されるであろう。
【００７３】
図４および図５は、眼鏡アセンブリ４０内で蔓アーム４１を取り外し可能に取り付ける１つの様式を図示している。蔓アーム４１は、上側フレーム部品４２および／または下側フレーム部品４３に、取り外し可能にかつ枢動可能に取り付けられている。図４および図５で示した好ましい実施形態において、眼鏡アセンブリ４０の強度を増加することがわかるので、蔓アーム４１は、上側フレーム部品４２と下側フレーム部品４３との両方に取り付けられる。上述のように、他の実施形態において、蔓アームは、上側または下側フレーム部品の１つのみに接続される。
【００７４】
蔓アーム４１は、取り替え可能であり、すなわち、蔓アームは、損傷なく眼鏡アセンブリ４０から取り外され、同様に眼鏡アセンブリ４０の残りの部分に取り付けるように構成された対応する蔓アームに再度取り付けられるまたは置換されるように構成される。このことにより、眼鏡装着者が、たとえば形状、スタイル、サイズまたは色を変えることによって、自身の要求を満足させるために、蔓アームを調節することが可能となる。特に、異なる角度にて眼鏡が装着されることを引き起こす蔓アームが、異なる人々が、異なる耳および鼻の相対的ポジションを有するので、しばしば要求されるように、選択可能である。
【００７５】
図４および図５で示した実施形態の以下の記載には、旋回軸シャフトと開口部との接続とが説明されており、蔓アームは、旋回軸シャフトを備え、上側および下側フレーム部品は、開口部分を構成する。このアレンジメントのヒンジ部材が、交換可能である、すなわち蔓アームは、開口部分を備えてもよく、上側および下側フレーム部品は、旋回軸シャフトを備えてもよく、両方のアレンジメントが本発明の範囲内に含まれることが理解されるであろう。図４および５図の実施形態は、非限定的な例の方法としてのみ説明される。さらに、蔓アームを、眼鏡フレーム部品に脱着可能にかつ枢動可能に係合させる他の方法も、本発明の範囲内に含まれる。
【００７６】
図４および図５の実施形態において、蔓アーム４１はそれぞれ、旋回軸シャフト４４を備え、上側フレーム部品４２と下側フレーム部品４３とはそれぞれ、各端部において、開口部分４５および４６を備える。開口部分４５および４６は、旋回軸シャフト４４を受けるように構成された開口部を有する平坦部分を備える。旋回軸シャフト４４を開口部分４５および４６中の開口部内に挿入するときに、蔓アーム４１は、上側部および下側フレーム部品４２および４３に関して旋回可能である。
【００７７】
旋回軸シャフト４４は、スリット４７により分けられる２つの部分を備え、このスリットは、旋回軸シャフト４４の開口部内への挿入をより簡単にし、それを係合解除することもより簡単にする。蔓アーム４１は、上側および／または下側フレーム部品から簡単に係合解除されることを防止するために、一端部近くに小さなフランジを有してもよい。
【００７８】
蔓アームは、上側および下側フレーム部品に関して、第１ポジションに付勢されてよい。この第１ポジションは、眼鏡が「開放」構成にある時であり、装着者の頭に配置するために好適である。蔓アームは、さらにまたはあるいは、上側および下側フレーム部品に関して第２ポジションに付勢されてよい。この第２ポジションは、眼鏡が「閉鎖」または折り畳み構成の時であり、蔓アームは、上側および下側フレーム部品に隣接して配置される。眼鏡アセンブリは、本目的のために付勢手段を備える。
【００７９】
この付勢が達成されうる様式の１つの例を、図４および図５で図示する。旋回軸シャフト４４は、円形断面を有する第１旋回軸シャフト４８と、ほぼ四角形状断面を有する第２旋回軸シャフト４９と、を有する。上側および下側フレーム部品の開口部分にある開口部は、対応して形付けられている。開口部分４５は、ほぼ四角形状断面を有する開口部を有し、開口部分４６は、円形断面を有する開口部を有する。
【００８０】
図６および図７は、それぞれ開口部分４５および４６を図示しており、上記開口部を示す。
【００８１】
蔓アーム４１を開口部内に挿入すると、旋回軸シャフト位置は、図５に示すように、対応して形付けられた形状で受けられる。旋回軸シャフトの四角形状部分のために、蔓アーム４１は、それぞれからほぼ９０°の角度だけ分離して２つのポジションに対して付勢されており、これら２つのポジションは、開放および閉鎖構成に対応する。
【００８２】
開口部分４５は好ましくは、開口部分５０が、そこで四角形状旋回軸シャフト部分４９の回転に際してわずかに曲がることを可能とするためのスリット５０を備える。さらに、開口部分４５中のほぼ四角形状の開口部は、蔓アーム４１の旋回運動を容易にするためにわずかに丸みを帯びた角部を有してもよい。
【００８３】
開口部分４６は、開口部内への旋回軸シャフトの挿入を簡単にするために、図７で示したように、角度を持った隙間を持つ円形開口部を有してもよい。
【００８４】
他の実施形態は、蔓アームと眼鏡アセンブリフレームとの間の旋回運動を可能にする別のアレンジメントを含む。たとえば、四角および円形状の開口部は、逆に構成されてもよく、旋回軸シャフトの対応する部分は、対応して構成されている。他の実施形態において、当業者によって理解されるように、円形断面のみが使用され、他の偏向手段が使用される。またさらなる実施形態において、蔓アームは、図示のように、下方向の代わりに、上方向に伸長している旋回軸シャフトを有する。
【００８５】
旋回軸シャフトと開口部の他の形状の断面がまた、本発明の範囲内に含まれ、上述したものは、単に例示のために提供される。
【００８６】
いくつかの実施形態において、フレーム部品、たとえば上側および下側フレーム部品の取り替えによって、眼鏡アセンブリが、選択的に異なる形状および／またはサイズを有するレンズを受けるように構成することが可能となる。たとえば、一実施形態において、眼鏡は、上側および下側フレーム部品によって受けられる円形レンズからなる。上側および／または下側フレーム部品を、１つの異なる形状で取り替えることによって、眼鏡のフレームが、楕円非円形レンズ、たとえば「飛行士」スタイルのレンズを受けるために好適であるように構成されてもよい。
【００８７】
図８、図９および図１０は、異なる形状およびスタイルを有するが、共通の構造部分からなる眼鏡８０、９０および１００を図示しており、それによって本発明の一実施形態にしたがって、１以上の部品を取り替えることによって、他に取り替えることが可能である。眼鏡８０、９０および１００は、同一の下側フレーム部品とレンズとを有するが、上側フレーム部品と蔓アームとは、交換されている。
【００８８】
図示のように、そのような眼鏡アセンブリと適切な取り替え可能な部品を用いて、眼鏡の形状およびスタイルを、迅速かつ簡単に、大きく変更できる。消費者は、この方法で眼鏡を変更することが可能とするために、一組の眼鏡と、４組の置換部品（２つのさらなる上側フレーム部品と２つのさらなる下側フレーム部品）を買う必要があるだけである。これは、９つの別々の眼鏡を買うことに比べたら、消費者にとってより安価である。また、本実施例において、異なる蔓アームを、異なる上側フレーム部品と使用可能であるので、より柔軟性が許容される。
【００８９】
比較的少ない取り替え可能部品を購入する必要があるだけで、眼鏡のスタイルおよび形状において多数の置換が可能になることが分かる。さらに、小売店は、要望にしたがって店で保持している各スタイルまたは形状の多数の部品をより効率的に管理でき、したがって廃棄の量を減らすことができる。
【００９０】
本発明の一実施形態において、眼鏡アセンブリフレーム、その部品および／または蔓アームは、熱消散物質からなる。熱消散物質は、冷えたままにすることを補助するために、装着者の皮膚から熱を追い出すように構成されている。好ましくは、装着者の皮膚に近接する眼鏡アセンブリの部品が、熱消散物質からなる。
【００９１】
好ましい実施形態において、蔓アームは、熱消散物質からなる。あるいは、蔓アームの内側面上の挿入部分のような、蔓アームの一部が、熱消散物質からなる。
【００９２】
そのような方法での使用のために好適な熱消散物質の非限定的な例は、熱消散ポリマーおよび熱消散アルミニウムである。
【００９３】
図１１は、本発明の他の実施形態にしたがった眼鏡アセンブリ１１０を示す斜視図である。アセンブリ１１０は、フレーム１１１および蔓アーム１１２、１１３（図１１にて開放構成中で示している）を備える。フレーム１１１は、眼レンズを受けるように構成されたレンズ受領部分を備える。
【００９４】
蔓アーム１１２、１１３は、ヒンジアセンブリまたは接続部１１４、１１５を用いてフレーム１１１に枢動可能に接続される。ヒンジ接続部１１４、１１５は、フレーム１１１に対する蔓アーム１１２、１１３の回転運動を可能とする。図１１において、蔓アーム１１２、１１３は、開放または展開位置で示されており、装着者の顔の上に配置可能である。閉鎖位置へ折り畳まれる時、眼鏡アセンブリは、保存のためにコンパクトになる。蔓アーム１１２、１１３の移動の極限は、完全な開放および閉鎖位置である。完全な開放および閉鎖位置は、移動リミッターを介して定義されてよい。たとえば、いくつかの実施形態において、蔓アームは、フレーム１１１と接触するようになる程度まで閉じられ、完全な閉鎖位置を定義する。他の実施形態において、ヒンジ接続部１１４、１１５は、完全な開放および／または閉鎖位置を定義するために、回転制限部分を備え、その例を後述する。
【００９５】
蔓アーム１１２、１１３は、フレーム１１１に脱着可能に連結する。蔓アームが脱着可能であることにより、それらを、他の蔓アームと取り替えることが可能となり、それによって、眼鏡のスタイル、色および／または形状を、使用者の要求に適合するように改変可能である。フレーム１１１またはその部分をまた、同様の構成部材で取り替えてもよい。
【００９６】
図１１に示す実施形態において、蔓アーム１１２、１１３は、通常の使用において、すなわち、過剰でおそらく損傷を与える力がない使用において、接続解除するのが難しく、したがって通常の使用の間は、しっかりと接続される。各蔓アームは、フレーム１１１の方向で各アームを変形させることによって、フレーム１１１から接続解除してもよい。そのような方法で蔓アームを曲げることによって、以下で詳述するように、ヒンジアセンブリの部品が再配置され、それによって蔓アームおよびフレームが比較的簡単に別々にスライド可能である。一対の眼鏡の通常の利用の間、蔓アームは、そのような方法で変形可能ではなく、したがって、蔓アームは、通常の利用の間、離れ落ちる可能性はない。
【００９７】
他の実施形態において、フレーム１１１は、蔓アームを受け入れるまたは接続解除するために変形可能であってよい。
【００９８】
図１１に示す好ましい実施形態において、フレーム１１１は、上側フレーム部品１１６と下側フレーム部品１１７とを備える。上側フレーム部品１１６は、下側フレーム部品１１７に脱着可能に接続される。一実施形態において、上側および下側フレーム部品は、協動するオス型およびメス型の摩擦嵌合手段によって接続される。他の実施形態において、上側および下側フレーム部品を脱着可能に接続する他の手段を使用し、本発明はそれに限定されないことが理解されるであろう。上側および下側フレーム部品は、好ましくは脱着可能に接続され、それによってそれらを分離するために合理的な力が必要であり、すなわち利用者は、それらを引き離すことが可能であるが、通常の利用の間は意図せずに接続解除されない。
【００９９】
図１２は、本発明の実施形態における眼鏡ヒンジアセンブリ１２０を示す斜視図である。ヒンジアセンブリ１２０は、第１ヒンジ部材１２１と、第２ヒンジ部材１２２と、を備え、ヒンジ部材は、枢動可能に協働するように構成される。図１２に示す好ましい実施形態において、眼鏡のレンズ受領部分は、第１ヒンジ部材１２１を備え、眼鏡の蔓アームは、第２ヒンジ部材１２２を備える。しかしながら、他の実施形態において、眼鏡のレンズ受領部分は、第２ヒンジ部材１２２を備え、蔓アームは、第１ヒンジ部材１２１を備える。本発明の実施形態は、眼鏡構成部材がどのヒンジアセンブリの協働構造を備えるかに依存しない。
【０１００】
図１２の好ましい実施形態において、レンズ受領部分は、眼鏡の前面を作りあげ、蔓アームの部分は、前面を構成しない。これは、いくつかの場合で好ましい可能性がある。しかしながら、特定の環境で、蔓アームの一端部が、眼鏡の前面の一部を構成することが望ましいことがある。これらの環境において、眼鏡のレンズ受領部分は、第２ヒンジ部材１２２を備えてもよく、蔓アームは、第１ヒンジ部材１２１を備えてもよい。
【０１０１】
本発明の原理が、さまざまな方法で実施されてよいことが、当業者によって理解されるであろう。本明細書で説明した実施形態は、本発明を限定しない。たとえば、図示した実施形態の種々の様態を変更することによって、眼鏡の異なるスタイル、形状および構成を提供される。
【０１０２】
第１ヒンジ部材
図１２と図１２に示す第１ヒンジ部材の一端部の平面図である図１３とを参照しながら第１ヒンジ部材１２１を説明する。図示した端部は、第２ヒンジ部材と協働する端部である。
【０１０３】
第１ヒンジ部材１２１は、旋回軸シャフト１２３を備える。旋回軸シャフト１２３は、第１ヒンジ部材１２１の一端部から伸長するリム１２４から、それぞれ上方および下方に伸長する、上方および下方伸長部分を備える。旋回軸シャフト１２３は、リム１２４に関して中心に位置する。旋回軸シャフト１２３と第１ヒンジ部材１２１からのリム１２４の伸長部分によって画成された回転壁部分１２５との間には、十分な幅があり、（後述する）第２ヒンジ部材のフック状部材は、旋回軸シャフトと係合することが可能であり、第１ヒンジ部材に対して第２ヒンジ部材の回転を可能とする。
【０１０４】
旋回軸シャフトは、図１２および図１３で示した旋回軸シャフト１２３の上方伸長部分中のノッチ１２６のような少なくとも１つのノッチまたは波形部(scallop)を含んでよい。同様の大きさおよび配置のノッチがまた、下方伸長部分にて提供される。ノッチ１２６は、円弧の形状を持つ。図１３で示す実施形態の場合、円は、旋回軸シャフト１２３の半径よりもわずかに大きな半径を有する。他の実施形態は、異なるサイズおよび形状のノッチを備えてもよい。
【０１０５】
ノッチ１２６は、回転壁部分１２５に面した旋回軸シャフト１２３の表面上に位置する。ノッチの実際の位置は、第２ヒンジ部材が、第１ヒンジ部材から係合解除するために必要な角度で、したがって、それによって蔓アームおよびレンズ受領部分を係合解除できる簡便さで変化してもよい。図１３で示す実施形態において、ノッチ１２６を画成する円弧の端部間で引いた線は、第１ヒンジ部材１２１の直線縁部に平行な線に対して５８°の角を画成する。
【０１０６】
第１ヒンジ部材１２１は、少なくとも１つのノッチ、たとえばリム１２４の外縁部にあるノッチ１２７および１２８を備える。ノッチ１２７および１２８は、後述するように、第２ヒンジ部材上の突起と共に協働するように構成されている。ノッチ１２７と１２８は好ましくはＶ型であるが、しかし他の実施形態では異なって成形されてもよい。ノッチは、ノッチの外に第２ヒンジ部材の突起を動かすのに少量の力が必要なように、十分に浅い。
【０１０７】
第１ヒンジ部材１２１は、蔓アームが完全に開放ポジションである時に、第２ヒンジ部材の回転制限部分に当接するように構成された表面または壁部分１２９を備える。
【０１０８】
第２ヒンジ部材
図１２と図１２中で図示した第２ヒンジ部材の一端部の断面平面図である図１４とを参照しながら第２ヒンジ部材１２２を説明する。図示した端部は、第１ヒンジ部材と協働する端部である。
【０１０９】
第２ヒンジ部材１２２は、第１ヒンジ部材の旋回軸シャフトに関して旋回するように構成された旋回手段である。たとえば、第２ヒンジ部材１２２は少なくとも１つのフック状部材１４１を備える。図示した実施形態は、それぞれ、旋回軸シャフトの上方および下方突起部分と協働する、上側および下側フック状部材を備える。上側および下側フック状部材間において、第１ヒンジ部材１２１のリム１２４を受けるように構成されたチャネルが画成されており、フック状部材間でその回転を可能とする。
【０１１０】
フック状部材１４１は、旋回軸シャフト１２３と協働するように構成されており、第１ヒンジ部材に対して、第２ヒンジ部材の回転を可能とする厚さを有する。フック状部材１４１の内部で画成された部分円の半径は、旋回軸シャフト１２３の半径とほぼ同様である。好ましい実施形態において、フック状部材１４１内部で画成された部分円の半径は、蔓アームが過剰に緩くならないように、第１および第２ヒンジ部材が、合理的な量の摩擦で、互いに対して回転するために、旋回軸シャフト１２３の半径よりもわずかに小さい。当業者は、相対的寸法が、使用者の要求を満足させるために変化可能であることを理解するであろう。
【０１１１】
フック状部材１４１は、バンプ１４２中で終端する直線セクション１４３を備える。図１４に示す実施形態において、直線セクション１４３は、第２ヒンジ部材の縦軸に関して１８°の角度を画成する。この角度は、後述するように、他の実施形態で変化してもよい。
【０１１２】
第２ヒンジ部材１２２は、第１および第２ヒンジ部材間で回転する可能性がある程度を制限するための回転制限部分を備える。好ましい実施形態において、回転制限部分は、フレームに対して、蔓アームの完全な開放ポジションを定義する。そのような実施形態において、完全に閉鎖したポジションは一般的に、蔓アームのフレームとの接触によって定義される。他の実施形態は、完全に閉鎖したポジションを定義する、さらなる回転制限部分を備えてもよい。図１４に示す実施形態において、フック状部材１４１の後部で、平坦な側面を画成するショルダー１４４が提供される。完全な開放ポジションにおいて、ショルダー１４４は、蔓アームの回転を制限するために、第１ヒンジ部材１２１の壁部分１２９に当接するように構成される。
【０１１３】
第２ヒンジ部材１２２は、第１ヒンジ部材１２１のノッチ１２７、１２８と協働するように構成された突起１４５を備える。突起１４５は、それとの協働のために、ノッチ１２７および１２８の形状およびサイズと同様に成形されかつサイズ付けされる。図示した実施形態において、突起１４５は、舌部１４６の端部において、またはその周辺において、上側および下側フック状部材間に位置する舌部１４６の内側面上に位置する。
【０１１４】
ヒンジ部材の動作
上述した実施形態において示した第１および第２ヒンジ部材を接続するために、第２ヒンジ部材の上側および下側フック状部材を、それぞれ旋回軸シャフト１２３の上方および下方に伸長している部分と係合接触させる。旋回軸シャフトのノッチ、たとえばノッチ１２６は、フック状部材１４１の端部の一部を受けるように位置する。フック状部材が旋回軸シャフト１２３の周囲に完全に引っ掛かるように、第１および第２部材を、たとえば第１ヒンジ部材の方向で、第２ヒンジ部材の中間セクションに力を付与することによって、変形させる。変形は、第２ヒンジ部材の一部が、ヒンジアセンブリが閉じた時に、通常の方向を越える方向に強要されることを意味する。これは、旋回軸シャフト１２３およびノッチ１２６に対するフック状部材１４１と直線セクション１４３との角度を変える効果を有する。角度におけるこの変化は、旋回軸シャフト１２３が、直線セクション１４３と平行にスライドし、完全にフック状部材１４１と協働することを可能とする。フック状部材１４１の長さと、ノッチ１２６の位置は、この形式の係合を可能とするために決定される。
【０１１５】
変動パラメータ
必要であろうように、種々のパラメータにおける変化が、第１および第２ヒンジ部材のより簡単なまたはより困難な係合／係合解除を可能とすることが理解されるであろう。たとえば、フック状部材１４１の程度が、フック状部材が旋回軸シャフトと係合しかつ係合解除できる容易さに影響を与える。
【０１１６】
さらに、第２ヒンジ部材の縦軸に対する直線セクション１４３の角度は、フック状部材１４１と係合するために旋回軸シャフト１４３が直線セクション１４３と平行にスライドしなければならないので、第１ヒンジ部材が第２ヒンジ部材に接続可能である角度を決定する。第２ヒンジ部材の縦軸に対する直線セクション１４３のより大きな角度は、第２ヒンジ部材のさらなる変形が、ヒンジ部材の係合／係合解除のために必要であり、したがって接続をより強固にし、接続または接続解除がより困難になることを意味する。
【０１１７】
同様に、旋回軸シャフト１２３のノッチ１２６の位置がまた、ヒンジ部材を接続するおよび接続解除するための困難さの程度を決定する。図１５は、本発明の実施形態における第１ヒンジ部材１５０の一端部の平面図である。ノッチ１５６が、図１３で示した第１ヒンジ部材１２１上のノッチ１２６の位置と比較した時に、第１ヒンジ部材１５０の先端部にさらに向かって位置する（図１５は、図１３にて示した端部に対する眼鏡フレームの他端部を図示しており、したがって、構成部材は反転される）。すなわち、ノッチ１５６の端部に接続している線と第１ヒンジ部材１５０の直線縁部に平行な線との間の角度は、ヒンジ部材１２１に対する等価角度よりも小さい。
【０１１８】
上述のように、第１ヒンジ部材１２１は２つのノッチ１２７、１２８を備え、第２ヒンジ部材１４１は突起１４５を備える。これらは、対応したサイズ付けおよび形付けがされており、蔓アームが完全な開放または閉鎖ポジションに付勢するような位置で、第１ヒンジ部材と第２ヒンジ部材とを付勢するために協働する。ノッチ１２７、１２８および／または突起１４５の位置は、蔓アームの所望の完全な開放／閉鎖ポジションに応じて変わってよい。ノッチのサイズおよび形状が、付勢の程度と、蔓アームを、完全な開放または閉鎖ポジションから移動させるために必要な力の量を決定し、必要に応じて変更可能であることも理解されるであろう。
【０１１９】
他の実施形態において、第１ヒンジ部材は、突起を備えてもよく、第２ヒンジ部材は、上述のように、蔓アームの位置を付勢するためにノッチを含んでよい。当業者は、本発明が、第１および第２ヒンジ部材の構成部材を取り替える変化を包含していることを理解するであろう。
【０１２０】
上側および下側フレーム部品
図１１に関連して説明したように、好ましい実施形態において、眼鏡アセンブリのフレームは、上側および下側フレーム部品を備える。そのような実施形態は、本明細書で、本発明の一実施形態にしたがった、フレーム１６０の分解斜視図である、図１６に関連して、より詳細に説明される。
【０１２１】
フレーム１６０は、脱着可能に接続可能な上側フレーム部品１６１および下側フレーム部品１６２を備える。たとえば、フレーム部品は、対応するメス型部分１６４と協働するオス型部分１６３を用いて脱着可能に接続可能である。他の実施形態において、当業者に理解されるような、上側および下側フレーム部品を脱着可能に接続する他の方法が提供される。
【０１２２】
フレーム１６０は、図１６に示す実施形態において、上方および下方伸長部分を備える旋回軸シャフト１６５を備える。旋回軸シャフト１６５は、好ましくは、上側フレーム部品１６１との単一構造物である。上方および下方伸長部分は、リム１６６の外に伸長し、下方伸長部分のうち下側フレーム部品のリム１６８の穴１６７を通して位置付けたときにリム１６８から伸長する長さは、上方伸長部分がリム１６６から伸長するのとほぼ同一の量である。上側および下側フレームを接続すると、リム１６６および１６８は、縁部を位置合わせした状態で隣接して配置される。
【０１２３】
フレームが上側および下側部品を備える実施形態は、上述した実施形態に限定されないことが理解されるであろう。いくかの実施形態において、下側フレーム部品が旋回軸シャフトを備え、上側フレーム部品が旋回軸シャフトを受けるための穴を有するリム部分を備える。また他の実施形態において、上側および下側フレーム部品両方が、旋回軸シャフトの部品を備える。
【０１２４】
旋回軸シャフトを受けるフレーム部品のリムの穴を通した旋回軸シャフトの摩擦嵌合が上側および下側フレーム部品の接続を確保するために加わるので、上側または下側フレーム部品のいずれかが旋回軸シャフトを備える実施形態が一般的に好まれる。
【０１２５】
取り替え可能部品を有する眼鏡に関して使用する時に、上側フレーム部品をより頻繁に変更すると考えられるので、上側フレーム部品が旋回軸シャフトを備える図１６に示す実施形態がより好まれる。したがって、最も磨耗しにくい構成部材を備える下側フレーム部品を有することが好都合である。オス型部材と旋回軸シャフトとが使用を通して不格好になりやすく、そしておそらくボキッと折れることに対して弱いので、これらは上側フレーム部品中に備えられることが好ましい。
【０１２６】
レンズ
上述した本発明の実施形態において、眼鏡アセンブリは、２つの別々のレンズを受けるように構成される。他の実施形態において、眼鏡アセンブリは、単一のレンズアセンブリを備えるレンズ部分を受けるように構成されてもよい。たとえば、レンズアセンブリは、眼鏡アセンブリの前面幅に広がる単一の透明レンズ素子を備えるモノレンズの形態をとってよい。
【０１２７】
図１７〜図１９は、本発明の他の実施形態における眼鏡アセンブリ１７０を示す図である。眼鏡アセンブリ１７０は、それぞれ上側および下側フレーム部品１７１および１７２と、上記他の実施形態に関して上述したものと同様の蔓アーム１７３と、を備える。
【０１２８】
眼鏡アセンブリ１７０は、レンズアセンブリ１７４をさらに備える。レンズアセンブリ１７４は、サブフレーム１７６内に位置する１以上のレンズ１７５を備える。サブフレーム１７６は、好ましくは、レンズ１７５を受領可能な、ステンレススチールのような薄く、軽量の物質からなる。レンズ１７５は、サブフレーム１７６内で圧入してもよい。他の実施形態において、単一のモノレンズは、サブフレーム内で嵌合してもよい。
【０１２９】
図１７〜図１９に示す実施形態において、上側および下側フレーム部品１７１および１７２は、サブフレーム１７６を受けるように構成されている。上側および下側フレーム部品の形状および構造が使用すべきサブフレームの型および形状に応じて変化可能であることが、当業者に明らかであろう。
【０１３０】
図１９は、図１７にてマークしたＡ−Ａ断面図である。図示のように、レンズ１７５は、サブフレーム１７６を受けるための溝を有し、このため、サブフレーム１７６は、レンズ１７５の上側および下側縁部の裏に向けて位置付けられる。上側および下側フレーム部品１７１および１７２は、この構造を有するレンズとサブフレームとを受けるように成形される。有利には、上側および下側フレーム部品１７１および１７２は、眼鏡アセンブリ１７０を組み立てると、サブフレーム１７６が眼鏡アセンブリの正面から見えないように配置される。これは、デザインの好みとして望ましい可能性がある。しかしながら、他の実施形態において、サブフレーム１７６は、特定のデザインのために要求されるように見えるように作製されてよい。
【０１３１】
上側および下側フレーム部品１７１および１７２を一体に接続する時に、サブフレーム１７６内の位置で、１以上のレンズ１７５を維持することをこれらは補助しうる。
【０１３２】
図１８に示すように、レンズアセンブリ１７４は、２つのレンズ１７５を接続するブリッジ部分１７７を備える。ブリッジ部分１７７は、レンズ１７５またはサブフレーム１７６のいずれかと一体的に形成される。上側および下側フレーム部品１７１および１７２は、ブリッジ部分１７７が、上側および下側フレーム部品のブリッジ接続部分間に収容されるような方法で、眼鏡アセンブリのものであるブリッジにおいて接続する。同様に、レンズアセンブリのブリッジ部分１７７が見えるかどうかは、デザイナーの決定事項である。
【０１３３】
上述したようなサブフレームの利用により、特定の利点が提供されうる。フレーム部品を取り替えると、レンズは、サブフレーム内に残ってよく、これは、別々のレンズを有する眼鏡と比較して、分解され、一体に戻される部品がより少ないことを意味する。また、サブフレームは、眼鏡の強度を増加させる。サブフレームの利用または、異なるデザインバリエーションに対してより広い範囲を提供し、眼鏡の多用途性を増加させる。
【０１３４】
射出成形工程
本発明の好ましい実施形態において、上側および下側フレーム部品と蔓アームとは、公知の技術にしたがって射出成形される。本発明にしたがった眼鏡構成部材は、好ましくは射出成形工程中スライディングコアまたはスライディングウェッジの利用を必要とする任意のアンダーカット、閉鎖ループまたはスリットを含まない。好ましい実施形態において、スライディングコアが、射出成形工程中で必要とされないように特にデザインされる。
【０１３５】
これは、とりわけ脱着可能な上側および下側フレーム部品を有する眼鏡の脱着可能なデザインによって可能となる。上側および下側フレーム部品間の連結は、レンズリムの曲線に沿って、スライディングコアを必要としないように配置してもよい。結果として、本発明にしたがった眼鏡に対する構成部材素子の成形は、比較的単純であり、デザイン、ツールおよび産出のコストがより低い。
【０１３６】
文脈が他に明確に要求しない限り、記述および請求項のいたるところで、語句「備える(comprise)」、「備える(comprising)」などは、除外または網羅的意味と反対の、含有的意味にて構成されるべきであり、すなわち、「有するが、それらに限定はされ得ない」の意味である。
【０１３７】
以上および以下で参照したすべての明細書、特許および刊行物のすべての開示物が、必要に応じて、参考として本明細書に組み込まれている。
【０１３８】
本明細書中の任意の先行技術に対する参照は、先行技術が、世界中の任意の国で、試みの領域での、共通で一般的な知識の一部を形成するという知識、または任意の形態の提案ではなく、そうとられるべきではない。
【０１３９】
本発明はまた、２以上の部分、素子または特徴の任意の、またはすべての組み合わせにて、個々にまたは集合として、本明細書を参照し、または本明細書内で示唆された、部分、素子および特徴に存すると広くいわれてよい。
【０１４０】
上述の参照は、その公知の均等物を有する完全体または構成部材素子に対して行われてきており、それらの完全体は、あたかも個々に説明するように、本明細書に組み込まれている。
【０１４１】
本明細書で記載した好ましい実施形態に対する種々の変化および改変が、当業者に理解されるであろうことに留意すべきである。そのような変化および改変は、本発明の意図および範囲を逸脱しないで、またその付随する利益を減少させることなく、実施されてよい。したがって、そのような変化および改変が、本発明内に含まれることが意図される。
【図１】
2013527496.tif 000003
【図２】
2013527496.tif 000004
【図３】
2013527496.tif 000005
【図４】
2013527496.tif 000006
【図５】
2013527496.tif 000007
【図６】
2013527496.tif 000008
【図７】
2013527496.tif 000009
【図８】
2013527496.tif 000010
【図９】
2013527496.tif 000011
【図１０】
2013527496.tif 000012
【図１１】
2013527496.tif 000013
【図１２】
2013527496.tif 000014
【図１３】
2013527496.tif 000015
【図１４】
2013527496.tif 000016
【図１５】
2013527496.tif 000017
【図１６】
2013527496.tif 000018
【図１７】
2013527496.tif 000019
【図１８】
2013527496.tif 000020
【図１９】
2013527496.tif 000021
【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
取外可能部品で形成される眼鏡アセンブリであって、前記取外可能部品が、
少なくとも１つのレンズ部分と、
上側フレーム部品と、
下側フレーム部品と、
前記上側フレーム部品および／または下側フレーム部品に枢動可能に取り付けられるよう構成され、２つのヒンジアセンブリを形成する２つの蔓アームと、
を備え、
前記取外可能部品はそれぞれ、対応する部品と取り替え可能であり、
各ヒンジアセンブリにおいて、前記上側フレーム部品および前記下側フレーム部品の一方が、旋回軸シャフトを備え、前記上側フレーム部品および前記下側フレーム部品の他方が、各々の前記旋回軸シャフトを受けるように構成された旋回軸シャフト受領部分を備え、
各蔓アームが、前記旋回軸シャフトの１つに枢動可能に取り付けられるように構成された、
眼鏡アセンブリ。
【請求項２】
前記上側フレーム部品と下側フレーム部品とが、共に、前記少なくとも１つのレンズ部分を受けるための少なくとも１つの開口部を画成し、
前記少なくとも１つの開口部が、ほぼ全周で、開口部内に受けられた少なくとも１つのレンズを囲む、請求項１に記載の眼鏡アセンブリ。
【請求項３】
前記上側フレーム部品と下側フレーム部品とを互いに取り付けた時のみ、少なくとも１つの開口部を画成する、請求項２に記載の眼鏡アセンブリ。
【請求項４】
脱着可能な前記上側および下側フレーム部品が、前記眼鏡アセンブリが異なる形状および／またはサイズの少なくとも１つのレンズ部分を選択的に備えるように取り替え可能である、請求項１から３のいずれか一項に記載の眼鏡アセンブリ。
【請求項５】
前記少なくとも１つのレンズ部分が、２つのレンズを備える請求項１から４のいずれか一項に記載の眼鏡アセンブリ。
【請求項６】
前記少なくとも１つのレンズ部分が、レンズアセンブリを備える、請求項１から４のいずれか一項に記載の眼鏡アセンブリ。
【請求項７】
前記レンズアセンブリが、サブフレーム内にある１以上のレンズを備える、請求項６に記載の眼鏡アセンブリ。
【請求項８】
各蔓アームが、前記各々の旋回軸シャフト回りに前記各々の蔓アームが回転することを可能とするように構成された少なくとも１つのフック状部材を備える、請求項１から７のいずれか一項に記載の眼鏡アセンブリ。
【請求項９】
前記旋回軸シャフトが、上方突起部分および下方突起部分を備え、
前記上方突起部分と前記下方突起部分の一方が、前記旋回軸シャフト受領部分によって受けられる、請求項１から８のいずれか一項に記載の眼鏡アセンブリ。
【請求項１０】
前記旋回軸シャフトの上方突起部分および下方突起部分が、単一構造物である、請求項９に記載の眼鏡アセンブリ。
【請求項１１】
前記旋回軸シャフト受領部分によって受けられる前記旋回軸シャフトの各々の前記突起部分が、前記旋回軸シャフト受領部分を越えて伸長する、請求項９または１０に記載の眼鏡アセンブリ。
【請求項１２】
前記上側フレーム部品が、旋回軸シャフトを備え、前記下側フレーム部品が、前記旋回軸シャフトの下方突起部分を受けるように構成された旋回軸シャフト受領部分を備え、このため、前記旋回軸シャフトが、前記旋回軸シャフト受領部分から下方に伸長する、請求項１１に記載の眼鏡アセンブリ。
【請求項１３】
各蔓アームが、それぞれ旋回軸シャフトの上方突起部分と下方突起部分と協働するように構成された上側および下側フック状部材を備える、請求項９から１２のいずれか一項に記載の眼鏡アセンブリ。
【請求項１４】
前記眼鏡アセンブリが、前記上側フレーム部品および／または下側フレーム部品に関して少なくとも１つのポジションに前記蔓アームを付勢する付勢手段を備える、請求項１から１３のいずれか一項に記載の眼鏡アセンブリ。
【請求項１５】
前記上側フレーム部品と下側フレーム部品とが、その中心部分で取り外し可能に取り付けられる、請求項１から１４のいずれか一項に記載の眼鏡アセンブリ。
【請求項１６】
前記眼鏡アセンブリが、装着者の鼻の上に載置するように構成された１以上の鼻載置部分を備える、請求項１から１５のいずれか一項に記載の眼鏡アセンブリ。
【請求項１７】
請求項１から１６のいずれか一項に記載の眼鏡アセンブリで使用するように構成された、上側フレーム部品。
【請求項１８】
請求項１から１６のいずれか一項に記載の眼鏡アセンブリで使用するように構成された、下側フレーム部品。
【請求項１９】
請求項１から１６のいずれか一項に記載の眼鏡アセンブリで使用するように構成された、１以上の蔓アーム。
【請求項２０】
請求項１から１６のいずれか一項に記載の眼鏡アセンブリで使用するように構成された、１以上の鼻載置部分。
【請求項２１】
熱消散物質で形成される、眼鏡アセンブリの構成部品。
【請求項２２】
前記構成部品が、蔓アームを備える、請求項２１に記載の眼鏡アセンブリの構成部品。
【請求項２３】
前記蔓アームが、熱消散物質からなるインサートを備え、
前記インサートが、装着者の頭近くにかつそれに面して位置するように構成された側面上に位置する、請求項２２に記載の眼鏡アセンブリの構成部品。
【請求項２４】
前記熱消散物質が、熱消散ポリマーまたは熱消散アルミニウムである、請求項２１から２３のいずれか一項に記載の眼鏡アセンブリの構成部品。
【請求項２５】
前記蔓アームが、請求項１から１６のいずれか一項に記載の眼鏡アセンブリで使用するように構成された、請求項２１から２３のいずれか一項に記載の眼鏡アセンブリの構成部品。
【請求項２６】
請求項１から１６のいずれか一項に記載の眼鏡アセンブリを構成するための、部品のキット。
【請求項２７】
眼鏡アセンブリを製造する方法であって、
スライディングコアを使用することなしに、
上側フレーム部品、および、
下側フレーム部品、
を備える脱着可能部品を射出成形するステップと、
前記上側フレーム部品および／または前記下側フレーム部品に枢動可能に取り付けられるよう構成され、２つのヒンジアセンブリを形成する２つの蔓アームを準備するステップと、
少なくとも１つのレンズ部分を準備するステップと、
前記脱着可能部品と少なくとも１つのレンズ部分を一体的に組み立てて眼鏡アセンブリを形成するステップと、
を備え、
前記脱着可能部品がそれぞれ、対応する部品と取り替え可能であり、
各ヒンジアセンブリにおいて、前記上側フレーム部品および前記下側フレーム部品の一方が、旋回軸シャフトを備え、前記上側フレーム部品および前記下側フレーム部品の他方が、前記各々の旋回軸シャフトを受けるよう構成された旋回軸シャフト受領部分を備え、
各蔓アームが、前記旋回軸シャフトの１つに枢動可能に取り付けられるように構成された、方法。
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
取外可能部品で形成される眼鏡アセンブリであって、前記取外可能部品が、
少なくとも１つのレンズ部分と、
上側フレーム部品と、
下側フレーム部品と、
前記上側フレーム部品および／または下側フレーム部品に枢動可能に取り付けられるよう構成され、２つのヒンジアセンブリを形成する２つの蔓アームと、
を備え、
前記取外可能部品はそれぞれ、対応する部品と取り替え可能であり、
各ヒンジアセンブリにおいて、前記上側フレーム部品および前記下側フレーム部品の一方が、旋回軸シャフトを備え、前記上側フレーム部品および前記下側フレーム部品の他方が、各々の前記旋回軸シャフトを受けるように構成された旋回軸シャフト受領部分を備え、
各蔓アームが、前記旋回軸シャフトの１つに枢動可能に取り付けられるように構成された、眼鏡アセンブリ。
【請求項２】
前記上側フレーム部品と下側フレーム部品とが、共に、前記少なくとも１つのレンズ部分を受けるための少なくとも１つの開口部を画成し、
前記少なくとも１つの開口部が、ほぼ全周で、開口部内に受けられた少なくとも１つのレンズを囲む、請求項１に記載の眼鏡アセンブリ。
【請求項３】
前記上側フレーム部品と下側フレーム部品とを互いに取り付けた時のみ、少なくとも１つの開口部を画成する、請求項２に記載の眼鏡アセンブリ。
【請求項４】
脱着可能な前記上側および下側フレーム部品が、前記眼鏡アセンブリが異なる形状および／またはサイズの少なくとも１つのレンズ部分を選択的に備えるように取り替え可能である、請求項１から３のいずれか一項に記載の眼鏡アセンブリ。
【請求項５】
前記少なくとも１つのレンズ部分が、２つのレンズを備える請求項１から４のいずれか一項に記載の眼鏡アセンブリ。
【請求項６】
前記少なくとも１つのレンズ部分が、レンズアセンブリを備える、請求項１から４のいずれか一項に記載の眼鏡アセンブリ。
【請求項７】
前記レンズアセンブリが、サブフレーム内にある１以上のレンズを備える、請求項６に記載の眼鏡アセンブリ。
【請求項８】
各蔓アームが、前記各々の旋回軸シャフト回りに前記各々の蔓アームが回転することを可能とするように構成された、少なくとも１つのフック状部材を備える、請求項１から７のいずれか一項に記載の眼鏡アセンブリ。
【請求項９】
前記旋回軸シャフトが、上方突起部分および下方突起部分を備え、
前記上方突起部分と、前記下方突起部分の一方が、前記旋回軸シャフト受領部分によって受けられる、請求項１から８のいずれか一項に記載の眼鏡アセンブリ。
【請求項１０】
前記旋回軸シャフトの上方突起部分および下方突起部分が、単一構造物である、請求項９に記載の眼鏡アセンブリ。
【請求項１１】
前記旋回軸シャフト受領部分によって受けられる前記旋回軸シャフトの各々の前記突起部分が、前記旋回軸シャフト受領部分を越えて伸長する、請求項９または１０に記載の眼鏡アセンブリ。
【請求項１２】
前記上側フレーム部品が、旋回軸シャフトを備え、前記下側フレーム部品が、前記旋回軸シャフトの下方突起部分を受けるように構成された旋回軸シャフト受領部分を備え、このため、前記旋回軸シャフトが、前記旋回軸シャフト受領部分から下方に伸長する、請求項１１に記載の眼鏡アセンブリ。
【請求項１３】
各蔓アームが、それぞれ旋回軸シャフトの上方突起部分と下方突起部分と協働するように構成された上側および下側フック状部材を備える、請求項９から１２のいずれか一項に記載の眼鏡アセンブリ。
【請求項１４】
前記眼鏡アセンブリが、前記上側フレーム部品および／または下側フレーム部品に関して少なくとも１つのポジションに前記蔓アームを付勢する付勢手段を備える、請求項１から１３のいずれか一項に記載の眼鏡アセンブリ。
【請求項１５】
前記上側フレーム部品と下側フレーム部品とが、その中心部分で取り外し可能に取り付けられる、請求項１から１４のいずれか一項に記載の眼鏡アセンブリ。
【請求項１６】
前記眼鏡アセンブリが、装着者の鼻の上に載置するように構成された１以上の鼻載置部分を備える、請求項１から１５のいずれか一項に記載の眼鏡アセンブリ。
【請求項１７】
請求項１から１６のいずれか一項に記載の眼鏡アセンブリで使用するように構成された、上側フレーム部品であって、
前記フレーム部品が、２つの旋回軸シャフトを備え、
各旋回軸シャフトは、更なるフレーム部品の旋回軸シャフト受領部分によって受容されて前記更なるフレーム部品に前記フレーム部品を結合するよう構成され、
各旋回軸シャフトは、前記蔓アームに枢動可能に取り付けられるよう構成される、上側フレーム部品。
【請求項１８】
請求項１から１６のいずれか一項に記載の眼鏡アセンブリで使用するように構成された、下側フレーム部品であって、
前記フレーム部品が、２つの旋回軸シャフト受領部分を備え、
各旋回軸シャフト受領部分は、更なるフレーム部品の旋回軸シャフトを受容して前記更なるフレーム部品に前記フレーム部品を結合するよう構成された、下側フレーム部品。
【請求項１９】
請求項１から１６のいずれか一項に記載の眼鏡アセンブリを構成するための、部品のキット。
【請求項２０】
眼鏡アセンブリを製造する方法であって、
スライディングコアを使用することなしに、
上側フレーム部品、および、
下側フレーム部品、
を備える脱着可能部品を射出成形するステップと、
前記上側フレーム部品および／または前記下側フレーム部品に枢動可能に取り付けられるよう構成され、２つのヒンジアセンブリを形成する２つの蔓アームを準備するステップと、
少なくとも１つのレンズ部分を準備するステップと、
前記脱着可能部品と少なくとも１つのレンズ部分を一体的に組み立てて眼鏡アセンブリを形成するステップと、
を備え、
前記脱着可能部品がそれぞれ、対応する部品と取り替え可能であり、
各ヒンジアセンブリにおいて、前記上側フレーム部品および前記下側フレーム部品の一方が、旋回軸シャフトを備え、前記上側フレーム部品および前記下側フレーム部品の他方が、前記各々の旋回軸シャフトを受けるよう構成された旋回軸シャフト受領部分を備え、
各蔓アームが、前記旋回軸シャフトの１つに枢動可能に取り付けられるように構成された、方法。
【国際調査報告】
2013527496.tif 000022
2013527496.tif 000023
2013527496.tif 000024
2013527496.tif 000025